(57)【特許請求の範囲】
【請求項１】
便鉢上部にリム通水路を配置し、該リム通水路下面に水出し穴を複数個有する大便器において、
前記リム通水路に導通し、前記水出し穴の上端面よりも低い位置から前記便鉢の外観上見えない位置に排出穴を有し、排出穴は、リム通水路に便器洗浄用の洗浄水を導く前記リム導水路であることを特徴とする大便器。
【請求項２】
便鉢上部にリム通水路を配置し、該リム通水路下面に水出し穴を複数個有する大便器において、
前記リム通水路に導通し、前記リム通水路下面の最下部位から最も近接する水出し穴開口端までの距離より排出穴開口端までの距離が短く、前記便鉢の外観上見えない位置に排出穴を有し、排出穴は、リム通水路に便器洗浄用の洗浄水を導く前記リム導水路であることを特徴とする大便器。
【請求項３】
リム通水路は、排出穴へ向かう下り勾配が形成されていることを特徴とする請求項１または請求項２記載の大便器。
【発明の詳細な説明】
【０００１】
【発明の属する技術分野】
本発明は、便鉢上部にリム通水路を配置し、該リム通水路下面に水出し穴を複数個有する大便器において、便器洗浄後のリム通水路内残留水の排出構造に関する。
【０００２】
【従来の技術】
従来の、便器洗浄後のリム通水路内残留水の排出構造を図１２を用いて説明すると、リム通水路３下面を水流方向に対し直角または平行な方向において、水出し穴４に対し下り勾配１０をつけることにより残留水がリム通水路内全体に停滞するのを防ぎ、低部の水出し穴４に集中させ便鉢２内に排出させる構造を用いていた。
【０００３】
【発明が解決しようとする課題】
上記従来技術における課題として、残留水を排出する水出し穴の径が小さいために、早期に排出することができず、表面張力作用により便器洗浄後長時間掛けて水出し穴より排出されるため、便鉢乾燥面に残留水の流下による水垢等の汚れ付着を引起こすことがあった。この課題を解決する手段として、単に水出し穴の径を大きくすることが考えられるが、限られた洗浄水量にて便鉢を洗浄するために全ての水出し穴に必要な水量を回さなくてはならず、水出し穴の径は制限される。
【０００４】
本発明は、リム通水路内の残留水を便鉢の外観上見えない位置、または便鉢溜水内に排出させたり、また早期に便鉢内に排出させることで、従来のように水出し穴より長時間掛けて排出されることによる便鉢の外観乾燥面への水垢等の汚れ付着を防止することができる。
【０００５】
上記課題を解決すべく本発明をなしたものであり、このために請求項１に記載した大便器は、便鉢上部にリム通水路を配置し、該リム通水路下面に水出し穴を複数個有する大便器において、前記リム通水路に導通し、前記水出し穴の上端面よりも低い位置から前記便鉢の外観上見えない位置に排出穴を有することを特徴とする大便器で、便器洗浄後のリム通水路内の残留水を高低が低い排出穴より排出することができ、残留水が水出し穴より長時間掛けて排出されることによる便鉢の外観乾燥面への水垢等の汚れ付着を防止することができる。
また、排出穴とリム導水路を共通にしたことにより、残留水の排出のみを目的とした排出穴を必要としないため、構造を簡略化することができる。
【０００６】
また、請求項２に記載した大便器は、便鉢上部にリム通水路を配置し、該リム通水路下面に水出し穴を複数個有する大便器において、前記リム通水路に導通し、前記リム通水路下面の最下部位から最も近接する水出し穴開口端までの距離より排出穴開口端までの距離が短く、前記便鉢の外観上見えない位置に排出穴を有することを特徴とする大便器で、便器洗浄後のリム通水路内の残留水を距離が短い排出穴より排出することができ、残留水が水出し穴より長時間掛けて排出されることによる便鉢の外観乾燥面への水垢等の汚れ付着を防止することができる。
また、排出穴とリム導水路を共通にしたことにより、残留水の排出のみを目的とした排出穴を必要としないため、構造を簡略化することができる。
【０００８】
また、請求項３に記載した大便器は、リム通水路に排出穴へ向かう下り勾配が形成されていることを特徴とする請求項１または請求項２記載の大便器で、リム通水路内の残留水が排出穴に早期に集まるようにしたものである。
【００１２】
【発明の実施の形態】
以下に本発明の実態の形態を添付図面に基づいて説明する。
図１、２は本発明に係る大便器の平面図、断面図であり、大便器１の構造は便鉢２上部にリム通水路３を配置し、該リム通水路３下面に水出し穴４を複数個有している。
【００１３】
（第１の実施例）
図３は図２のＡ部拡大図である。リム通水路３に導通し、水出し穴４の上端面よりも低い位置から便鉢２の外観上見えない位置または便鉢溜水１３内にまで穿設された排出穴５を有することを特徴とする大便器１で、便器洗浄後のリム通水路３内の残留水６を高低が低い排出穴５より排出することができ、残留水６が水出し穴４より長時間掛けて排出されることによる便鉢２の外観乾燥面７への水垢等の汚れ付着を防止することができる。
【００１４】
（第２の実施例）
図７は別の実施例に係る図２のＡ部拡大図である。リム通水路３に導通し、リム通水路３下面の最下部位８から最も近接する水出し穴４開口端までの距離より排出穴５開口端までの距離が短く、便鉢２の外観上見えない位置または便鉢溜水１３内にまで穿設された排出穴５を有することを特徴とする大便器１で、便器洗浄後のリム通水路３内の残留水６を距離が短い排出穴５より排出することができ、残留水６が水出し穴４より長時間掛けて排出されることによる便鉢２の外観乾燥面７への水垢等の汚れ付着を防止することができる。
【００１５】
（第３の実施例）
図８は別の実施例に係るＡ部拡大図である。排出穴５がリム通水路３に便器洗浄用の洗浄水を導くリム導水路９であることを特徴とする請求項１または請求項２記載の大便器１で、排出穴５と導水路９を共通にしたことにより、残留水６の排出のみを目的とした排出穴５を必要としないため、構造を簡略化することができる。
【００１６】
（第４の実施例）
図２、４、６は別の実施例に係る大便器の断面図を示す。第１の実施例乃至第３の実施例の大便器１において、リム通水路３に排出穴５へ向かう下り勾配１０が形成され、リム通水路３内の残留水６が排出穴５に早期に集まるようにしたものである。
【００１７】
（第５の実施例）
図３、５、７は、別の実施例に係る大便器の部分拡大断面図を示す。前記リム通水路３に導通し、前記水出し穴４の上端面よりも低い位置に前記水出し穴より大径の大径排出穴１１を有することを特徴とする大便器１で、便器洗浄後のリム通水路３内の残留水６を高低が低い大径排出穴１１より早期に排出することができ、残留水６が水出し穴４より長時間掛けて排出されることによる便鉢２の外観乾燥面７への水垢等の汚れ付着を防止することができる。
【００１８】
（第６の実施例）
図９、１０は別の実施例の大便器の平面図、断面図である。この実施例では、前記大径排出穴１１がリム通水路３に形成され、前記大径排出穴１１はリム通水路３内に設けられたゼット導水路１２と共通化が可能であるとともに、便鉢２内に通じる大径排出穴１１であれば便鉢２内であっても早期に残留水６排出することができるので、残留水６が水出し穴４より長時間掛けて排出されることによる便鉢２の外観乾燥面７への水垢等の汚れ付着を防止することができる。
【００１９】
（第７の実施例）
図１１は、別の実施例の大便器の平面図である。この実施例では、前記大径排出穴１１がリム通水路３の水出し穴４から吐出する洗浄水と相俟って便鉢２内の留水１３を旋回させる洗浄水を吐出する。
【００２０】
【発明の効果】
本発明によれば、リム通水路内の残留水が短時間で排出され、便鉢の外観乾燥面への水垢等の汚れ付着を防止することができる大便器が実現できる。
【図面の簡単な説明】
【図１】 本発明に係る大便器の平面図である。
【図２】 本発明に係る大便器の断面図である。
【図３】 第１の実施例に係る図２のＡ部拡大図である。
【図４】 第４の実施例に係る大便器の断面図である。
【図５】 第５の実施例に係る図４のＡ部拡大図である。
【図６】 第４の実施例に係る大便器の断面図である。
【図７】 第２の実施例に係る図２のＡ部拡大図である。
【図８】 第３の実施例に係る図２のＡ部拡大図である。
【図９】 第６の実施例に係る大便器の平面図である。
【図１０】 第６の実施例に係る大便器の断面図である。
【図１１】 第７の実施例に係る大便器の平面図である。
【図１２】 従来の大便器の部分断面図である。
【図１】
0004161489.tif 000002
【図２】
0004161489.tif 000003
【図３】
0004161489.tif 000004
【図４】
0004161489.tif 000005
【図５】
0004161489.tif 000006
【図６】
0004161489.tif 000007
【図７】
0004161489.tif 000008
【図８】
0004161489.tif 000009
【図９】
0004161489.tif 000010
【図１０】
0004161489.tif 000011
【図１１】
0004161489.tif 000012
【図１２】
0004161489.tif 000013